(57)【特許請求の範囲】
【請求項１】
送信波を送信するとともに前記送信波の測定対象物での反射波を受信する送受信手段と、前記送受信手段を制御することにより前記送信波および前記反射波の送受信方向を所定の走査範囲で繰り返し走査させる走査手段と、前記送受信手段により送信された送信波および受信された反射波に基づいて前記測定対象物の位置情報を測定する測定手段とを備えることにより前記測定対象物を捕捉するレーダ装置を制御するためのレーダ処理装置において、
前記測定手段は、
前記送受信手段が受信した反射波から、距離方向、方位方向および高低方向のうち２方向の２次元マトリックスを用いて２次元マトリックス状の受信データを取得する２次元マトリックスデータ取得手段と、
前記２次元マトリックスデータ取得手段によって取得した２次元マトリックス状の受信データについて、予め行と列の大きさが設定された所定のサイズごとに、中心の受信データがその他の受信データと比較して最大値であると判断された場合、前記中心の受信データおよび前記その他の受信データに基づいて、前記測定対象物の位置を推定する推定手段と、
前記推定手段によって推定した前記測定対象物の位置情報を出力する出力手段と、
を備え、
更に前記２次元マトリックスデータ取得手段は、前記送受信手段が受信した反射波から順次受信データを取得し、
前記推定手段は、前記受信データを予め推定された不要測定対象物パターンと比較することにより前記受信データを不要測定対象物の反射波から取得したものを除去することで前記測定対象物を推定することを特徴とするレーダ処理装置。
【請求項２】
送信波を送信するとともに前記送信波の測定対象物での反射波を受信する送受信手段と、前記送受信手段を制御することにより前記送信波および前記反射波の送受信方向を所定の走査範囲で繰り返し走査させる走査手段と、前記送受信手段により送信された送信波および受信された反射波に基づいて前記測定対象物の位置情報を測定する測定手段とを備えることにより前記測定対象物を捕捉するレーダ装置を制御するためのレーダ処理装置において、
前記測定手段は、
前記送受信手段が受信した反射波から、距離方向、方位方向および高低方向の３次元マトリックスを用いて３次元マトリックス状の受信データを取得する３次元マトリックスデータ取得手段と、
前記３次元マトリックスデータ取得手段によって取得した３次元マトリックス状の受信データについて、予め行と列の大きさが設定された所定のサイズごとに、中心の受信データがその他の受信データと比較して最大値であると判断された場合、前記中心の受信データおよび前記その他の受信データに基づいて、前記測定対象物の位置を推定する推定手段と、
前記推定手段によって推定した前記測定対象物の位置情報を出力する出力手段と、
を備え、
更に前記３次元マトリックスデータ取得手段は、前記送受信手段が受信した反射波から順次受信データを取得し、
前記推定手段は、前記受信データを予め推定された不要測定対象物パターンと比較することにより前記受信データを不要測定対象物の反射波から取得したものを除去することで前記測定対象物を推定することを特徴とするレーダ処理装置。
【請求項３】
前記推定手段は、前記中心の受信データおよび前記周辺の受信データを用いて比例配分計算または２次関数近似計算によって前記測定対象物の位置を推定することを特徴とする請求項１または２に記載のレーダ処理装置。
【請求項４】
送信波を送信するとともに前記送信波の測定対象物での反射波を受信する送受信手段と、前記送受信手段を制御することにより前記送信波および前記反射波の送受信方向を所定の走査範囲で繰り返し走査させる走査手段と、前記送受信手段により送信された送信波および受信された反射波に基づいて前記測定対象物の位置情報を測定する測定手段とを備えることにより前記測定対象物を捕捉するレーダ装置を制御するためのレーダ処理装置のコンピュータを、
前記測定手段が備える、
前記送受信手段が受信した反射波から、距離方向、方位方向および高低方向のうち２方向の２次元マトリックスを用いて２次元マトリックス状の受信データを取得する２次元マトリックスデータ取得手段、
前記２次元マトリックスデータ取得手段によって取得した２次元マトリックス状の受信データにについて、予め行と列の大きさが設定された所定のサイズごとに、中心の受信データがその他の受信データと比較して最大値であると判断された場合、前記中心の受信データおよび前記その他の受信データ基づいて、前記測定対象物の位置を推定する推定手段、
前記推定手段によって推定した前記測定対象物の位置情報を出力する出力手段、
として機能させるための位置特定プログラムであって、
更に前記２次元マトリックスデータ取得手段は、前記送受信手段が受信した反射波から順次受信データを取得し、
前記推定手段は、前記受信データを予め推定された不要測定対象物パターンと比較することにより前記受信データを不要測定対象物の反射波から取得したものを除去することで前記測定対象物を推定することを特徴とする位置特定プログラム。
【請求項５】
送信波を送信するとともに前記送信波の測定対象物での反射波を受信する送受信手段と、前記送受信手段を制御することにより前記送信波および前記反射波の送受信方向を所定の走査範囲で繰り返し走査させる走査手段と、前記送受信手段により送信された送信波および受信された反射波に基づいて前記測定対象物の位置情報を測定する測定手段とを備えることにより前記測定対象物を捕捉するレーダ装置を制御するためのレーダ処理装置のコンピュータを、
前記測定手段が備える、
前記送受信手段が受信した反射波から、距離方向、方位方向および高低方向の３次元マトリックスを用いて３次元マトリックス状の受信データを取得する３次元マトリックスデータ取得手段、
前記３次元マトリックスデータ取得手段によって取得した３次元マトリックス状の受信データについて、予め行と列の大きさが設定された所定のサイズごとに、中心の受信データがその他の受信データと比較して最大値であると判断された場合、前記中心の受信データおよび前記その他の受信データに基づいて、前記測定対象物の位置を推定する推定手段、
前記推定手段によって推定した前記測定対象物の位置情報を出力する出力手段、
として機能させるための位置特定プログラムであって、
更に前記３次元マトリックスデータ取得手段は、前記送受信手段が受信した反射波から順次受信データを取得し、
前記推定手段は、前記受信データを予め推定された不要測定対象物パターンと比較することにより前記受信データを不要測定対象物の反射波から取得したものを除去することで前記測定対象物を推定することを特徴とする位置特定プログラム。
【発明の詳細な説明】
【技術分野】
【０００１】
本発明は、発信した電波の反射波を受信することにより測定対象物を捕捉するレーダ装置を制御するためのレーダ処理装置、および前記レーダ制御装置において測定対象物の位置を特定するための位置特定プログラムに関し、特に、方位方向、高低方向、距離方向等の位置情報を取得し、これらの位置情報の中から少なくとも２種類以上から構成される位置情報について、２次元以上のマトリックスを用いてより正確な位置情報を特定するレーダ制御装置および位置特定プログラムに関する。
【背景技術】
【０００２】
近年、レーダ装置は、半導体技術等の向上から高い性能をもつハードウエアにより構成されてきており、より高い性能および機能が求められている。また、同時に、信号処理の形態は、高機能性、利便性、低コスト化等の観点から、これまでのハードウエア処理から高度なアルゴリズムを実現することが可能なソフトウエア処理へと移行してきている。
【０００３】
通常、レーダ装置の主な目的は、目標となる測定対象物までの測距であるが、距離以外の情報の獲得も可能である。例えば、ドップラ速度、方位方向、高低方向、測定対象物形状などが挙げられる。これらは、レーダ装置の目的に合わせて、必要な情報を取得できる仕組みを組み込むことになる。
【特許文献１】特開２００３−１７７０１０号公報
【特許文献２】特開２００１−２６４４４０号公報
【特許文献３】特開２００５−９９２６号公報
【発明の開示】
【発明が解決しようとする課題】
【０００４】
しかしながら、レーダ装置の監視範囲を機械走査（送信アンテナを機械的に動かすことにより発信する電波を走査する手法）と電子走査（送信アンテナは固定しておき、発信する電波の方向を制御することにより走査する手法）の組み合わせ、または電子走査のみで走査すると電波照射されているビーム位置が不連続性を持つことになり、監視範囲が離散的なビームによりサンプリングされることになる。測定対象物の反射レベルが大きい場合や複数の測定対象物が存在する場合、多数のビーム位置で測定対象物情報が得られてしまい、その中から真の位置情報（方位方向、高低方向）を確定することが困難になるという問題点があった。
【０００５】
図１は、単一の目標対象物の検出パターンの例を示す図であり、図２は、互いに隣接した２つの目標対象物の検出パターンの例を示す図である。
レーダ装置の一般的なアンテナ走査方式は、所定の範囲を一定の速度で機械的にあるいは電気的にアンテナを走査しながら、レーダ装置が送信した送信波が目標対象物で反射し、その反射波をレーダ装置が受信することにより実行される。この際に、測定対象物が存在していると、走査方向、例えば方位方向への１次元の検出パターン１０が得られる。
【０００６】
測定対象物が単一の場合は、図１に示すように、検出パターン１０の信号レベルの最も高い個所の周辺に測定対象物が存在するであろうことが判別できる。しかし、図２に示すように、２つ以上の測定対象物が存在する場合は、１つの測定対象物の検出パターン２１および他の測定対象物の検出パターン２２が互いに干渉して検出パターン２０として検出されてしまったり、さらにノイズ等が影響したりするため、測定対象物の位置を判別することが困難となる。図２に示すような複数の測定対象物の検出パターン２０を分離するには、分解能を満たし且つデータサンプリング数を出来るだけ細かくする必要がある。従っ
て、実際の測定対象物の分離および検出は、そのサンプリング分を考慮したものとなり、サンプリングが悪いと検出性能が低下してしまう。
【０００７】
本発明は、かかる問題を解決するためのもので、レーダ装置を制御するためのレーダ制御装置であって、得られた位置情報の分布に基づいて、測定対象物が存在する位置を推定することにより、測定対象物の位置情報の取得精度を向上させることが可能なレーダ制御装置および位置特定プログラムを提供することを目的とする。
【０００８】
また、互いに接近している複数の測定対象物をそれぞれ別々に捕捉することが可能なレーダ制御装置および位置特定プログラムを提供することを目的とする。
【課題を解決するための手段】
【０００９】
本発明は、上記課題を解決するため、下記のような構成を採用した。
すなわち、本発明の一態様によれば、本発明のレーダ処理装置は、送信波を送信するとともに前記送信波の測定対象物での反射波を受信する送受信手段と、前記送受信手段を制御することにより前記送信波および前記反射波の送受信方向を所定の走査範囲で繰り返し走査させる走査手段と、前記送受信手段により送信された送信波および受信された反射波に基づいて前記測定対象物の位置情報を測定する測定手段とを備えることにより前記測定対象物を捕捉するレーダ装置を制御するためのレーダ処理装置である。
【００１０】
そして、本発明のレーダ処理装置は、前記測定手段が、前記送受信手段が受信した反射波から、距離方向、方位方向および高低方向のうち２方向の２次元マトリックスを用いて２次元マトリックス状の受信データを取得する２次元マトリックスデータ取得手段と、前記２次元マトリックスデータ取得手段によって取得した２次元マトリックス状の受信データについて、予め行と列の大きさが設定された所定のサイズごとに、中心の受信データがその他の受信データと比較して最大値であると判断された場合、前記中心の受信データおよび前記その他の受信データに基づいて、前記測定対象物の位置を推定する推定手段と、前記推定手段によって推定した前記測定対象物の位置情報を出力する出力手段とを備え、更に前記２次元マトリックスデータ取得手段が、前記送受信手段が受信した反射波から順次受信データを取得し、前記推定手段が、前記受信データを予め推定された不要測定対象物パターンと比較することにより前記受信データを不要測定対象物の反射波から取得したものを除去することで前記測定対象物を推定することを特徴とする。
【００１１】
また、本発明の一態様によれば、本発明のレーダ処理装置は、前記測定手段が、前記送受信手段が受信した反射波から、距離方向、方位方向および高低方向の３次元マトリックスを用いて３次元マトリックス状の受信データを取得する３次元マトリックスデータ取得手段と、前記３次元マトリックスデータ取得手段によって取得した３次元マトリックス状の受信データについて、予め行と列の大きさが設定された所定のサイズごとに、中心の受信データがその他の受信データと比較して最大値であると判断された場合、前記中心の受信データおよび前記その他の受信データに基づいて、前記測定対象物の位置を推定する推定手段と、前記推定手段によって推定した前記測定対象物の位置情報を出力する出力手段とを備え、更に前記３次元マトリックスデータ取得手段が、前記送受信手段が受信した反射波から順次受信データを取得し、前記推定手段が、前記受信データを予め推定された不要測定対象物パターンと比較することにより前記受信データを不要測定対象物の反射波から取得したものを除去することで前記測定対象物を推定することを特徴とする。
【００１３】
また、本発明のレーダ処理装置は、前記推定手段が、前記中心の受信データおよび前記周辺の受信データを用いて比例配分計算または２次関数近似計算によって前記測定対象物の位置を推定することが望ましい。
【００１５】
また、本発明の一態様によれば、本発明の位置特定プログラムは、送信波を送信するとともに前記送信波の測定対象物での反射波を受信する送受信手段と、前記送受信手段を制御することにより前記送信波および前記反射波の送受信方向を所定の走査範囲で繰り返し走査させる走査手段と、前記送受信手段により送信された送信波および受信された反射波に基づいて前記測定対象物の位置情報を測定する測定手段とを備えることにより前記測定対象物を捕捉するレーダ装置を制御するためのレーダ処理装置のコンピュータを機能させるための位置特定プログラムである。
【００１６】
そして、本発明の位置特定プログラムは、レーダ処理装置のコンピュータを、前記測定手段が備える、前記送受信手段が受信した反射波から、距離方向、方位方向および高低方向のうち２方向の２次元マトリックスを用いて２次元マトリックス状の受信データを取得する２次元マトリックスデータ取得手段、前記２次元マトリックスデータ取得手段によって取得した２次元マトリックス状の受信データについて、予め行と列の大きさが設定された所定のサイズごとに、中心の受信データがその他の受信データと比較して最大値であると判断された場合、前記中心の受信データおよび前記その他の受信データに基づいて、前記測定対象物の位置を推定する推定手段、前記推定手段によって推定した前記測定対象物の位置情報を出力する出力手段として機能させるための位置特定プログラムであって、更に前記２次元マトリックスデータ取得手段が、前記送受信手段が受信した反射波から順次受信データを取得し、前記推定手段が、前記受信データを予め推定された不要測定対象物パターンと比較することにより前記受信データを不要測定対象物の反射波から取得したものを除去することで前記測定対象物を推定することを特徴とする位置特定プログラムである。
【００１７】
また、本発明の位置特定プログラムは、レーダ処理装置のコンピュータを、前記測定手段が備える、前記送受信手段が受信した反射波から、距離方向、方位方向および高低方向の３次元マトリックスを用いて３次元マトリックス状の受信データを取得する３次元マトリックスデータ取得手段、前記３次元マトリックスデータ取得手段によって取得した３次元マトリックス状の受信データについて、予め行と列の大きさが設定された所定のサイズごとに、中心の受信データがその他の受信データと比較して最大値であると判断された場合、前記中心の受信データおよび前記その他の受信データに基づいて、前記測定対象物の位置を推定する推定手段、前記推定手段によって推定した前記測定対象物の位置情報を出力する出力手段として機能させるための位置特定プログラムであって、更に前記３次元マトリックスデータ取得手段が、前記送受信手段が受信した反射波から順次受信データを取得し、前記推定手段が、前記受信データを予め推定された不要測定対象物パターンと比較することにより前記受信データを不要測定対象物の反射波から取得したものを除去することで前記測定対象物を推定することを特徴とする位置特定プログラムである。
【発明の効果】
【００１８】
本発明によれば、サンプリングされた反射波の信号レベル分布から測定対象物の位置を推定しているため、サンプリング以上の精度で測定対象物の位置情報の取得が可能となる。
【００１９】
また、本発明によれば、分解能を満たしている複数の測定対象物でビーム照射サンプリングの具合により複数の測定対象物が単一の測定対象物に見える場合であっても、反射波の信号レベル分布から複数の測定対象物として分離可能であり、レーダ装置の主目的である測定対象物を探知する能力を向上することができる。
【発明を実施するための最良の形態】
【００２０】
以下、図面に基づいて本発明を適用した実施の形態を説明する。
図３は、本発明を適用したレーダ装置の構成を示す図である。
図３において、レーダ装置３０は、送信部３１、空中線部３２、受信部３３、レーダ処理部３４、出力部３５および制御部３６を備え、制御部３６が制御信号を用いて送信部３
１、空中線部３２、受信部３３、レーダ処理部３４および出力部３５を制御する。また、レーダ処理部３４は、測定対象物位置確定処理部３７、測定対象物情報分布記録部３８および測定対象物候補記録部３９を備える。
【００２１】
このように構成されたレーダ装置３０は、制御部３６からの制御信号により、送信部３１から空中線部３２を通して送信波を送信して、測定対象物４０で反射した反射波を空中線部３２により受信する。そして、反射波を受信した受信部３３は、レーダ処理部３４が扱える形式に信号変換し、変換した受信信号をレーダ処理部３４へ入力する。
【００２２】
また、前記制御手段３６からの制御信号に基づいて、前記送信波および前記反射波の送受信方向が所定の走査範囲で繰り返し走査されることにより、反射波が所定間隔でビームサンプリングされる。
【００２３】
図４は、電子走査を使用した場合の反射波のビームサンプリングを示す図である。
図４に例示されたビームサンプリングは、距離方向と方位方向の２次元の捜査範囲を所定間隔でサンプリングされている例である。
【００２４】
図３の説明に戻る。
レーダ処理部３４は、入力された受信信号を測定対象物情報として測定対象物情報分布記録部３８に格納する。
【００２５】
図５は、測定対象物情報の配列の例を示す図である。
図５において、測定対象物情報の配列を示す測定対象物情報配列５０は、距離方向と方位方向の７×７の２次元マトリックスであり、図４に示したビームサンプリングから得られる信号レベルを、対応するセルに格納する。
【００２６】
図３の説明に戻る。
測定対象物位置確定処理部３７は、測定対象物情報分布記録部３８に格納された測定対象物情報がアンテナ走査でのビームサンプリング、距離サンプリング、分解能等から決定した３個以上のデータ配列からなる判定ゲートのデータ配列以上になったら、測定対象物情報分布記録部３８から測定対象物位置確定処理部３７へ測定対象物情報を取り出し、判定ゲートによる測定対象物位置の推定を行う。ここで、判定ゲートとは、その形状が、距離方向、方位方向、高低方向のうち何れかで構成される１次元（距離方向、方位方向、高低方向の単独）のデータ列、距離方向、方位方向、高低方向のうち何れかの２つで構成される２次元の２次元マトリックス、または、距離方向、方位方向、高低方向で構成される３次元マトリックスで構成される。
【００２７】
図６は、判定ゲートの例を示す図である。
図６に例示された判定ゲート６０は、距離方向に３列と方位方向に３行である３×３の２次元のマトリックスの例である。このマトリックスの中心のセルを中心セル６１と呼び、他の周辺のセルをサブセル６２と呼ぶ。判定ゲート内の各次元方向のデータ数は、分解能やデータサンプリング数により決定されるが、対象データの両側からの影響を踏まえるため、望ましくは３列以上または３行以上とする。
【００２８】
判定ゲート６０の形状は、距離方向、方位方向、高低方向からの組合せで１次元（距離方向、方位方向、高低方向の単独）のデータ列、２次元（距離方向、方位方向、高低方向からの２つの組合せ）のマトリックス、３次元（距離方向、方位方向、高低方向）のマトリックスの何れかで構成される。
【００２９】
図３の説明に戻る。
測定対象物位置確定処理部３７は、測定対象物情報分布記録部３８から取出して測定対象物情報配列５０に格納した測定対象物情報に、前記判定ゲート６０を当てはめ、判定ゲート６０を走査させながら測定対象物４０が存在しそうな位置を推定する。
【００３０】
図７は、測定対象物情報配列５０に対する判定ゲート６０の走査を説明するための図である。
図７に示したように、判定ゲート６０を検出レベルや位置サンプルの情報で構成されている測定対象物情報配列（検出データ群）５０に順次当てはめ、判定ゲート６０内で測定対象物４０が存在しそうな位置を推定する。判定ゲート６０の走査は、判定ゲート６０の幅に相当するデータサンプリング情報が得られたら時点で実行することにより、リアルタイムにその判定ゲート６０の処理結果を出力し、１サンプリング毎に判定ゲート６０をスライディングさせながら、測定対象物情報の分布配列を全走査する。
【００３１】
判定ゲート６０による測定対象物４０位置の推定は、判定ゲート６０を測定対象物情報の分布配列上で１サンプリング毎に走査させ、その判定ゲート６０中の中心セル６１が他の全ての周辺セル６２と比較して最大の信号レベルをもつセル７１やセル７２を抽出する。この場合に、判定ゲート６０を中心にして測定対象物４０が存在しえると推定する。逆に、最大の信号レベルが中心セル６１ではない場合は、測定対象物情報分布記録部３８から次の測定対象物情報を読込み、判定ゲート６０を当てはめていく。
【００３２】
なお、リアルタイム性が求められない場合は、所定の範囲を記憶装置に格納して、測定対象物情報分布配列５０を広めの判定ゲート６０に用いることで、全体の影響を考慮することになり、測定対象物４０の位置推定がより向上する。
【００３３】
他方、測定対象物４０が存在しうる位置では信号レベルが大きいため、判定ゲート６０内の中心セル６１が全てのサブセル６２より大きい信号レベルが得られた場合は、中心セル６１およびサブセル６２のレベル分布に基づいて、２次関数近似計算や比例配分計算等にて測定対象物４０が存在しえる位置（角度もしくは距離）を推定する。
【００３４】
図８は、測定対象物４０が存在しえる位置を推定する手法として２次関数近似計算を用いる例を説明するための図である。
図８において、測定対象物４０が存在しえる位置８６（θ４）は、次にようにして求める。
【００３５】
まず、３つのサンプリングポイントθ１、θ２、θ３における信号レベル８１（Ｐｒ１）、８２（Ｐｒ２）、８３（Ｐｒ３）を用いた下記式（１）（２）（３）から、係数ａ、ｂ、ｃを算出する。
【００３６】
ａ×θ１2＋ｂ×θ１＋ｃ＝Ｐｒ１    ・・・式（１）
ａ×θ２2＋ｂ×θ２＋ｃ＝Ｐｒ２    ・・・式（２）
ａ×θ３2＋ｂ×θ３＋ｃ＝Ｐｒ３    ・・・式（３）
そして、算出した係数ａ、ｂ、ｃを用いた２次関数８４の極値８５を求め、そのサンプリングポイント軸方向の値が測定対象物４０が存在しえる位置８６（θ４）となる。
【００３７】
なお、サンプリングポイントは、方位方向、高低方向または距離方向の何れでも同様である。
図９は、測定対象物４０が存在しえる位置を推定する手法として比例配分計算を用いる例を説明するための図である。
【００３８】
図９において、測定対象物４０が存在しえる位置９６（θ５）は、下記式（５）を用い
て算出する。
θ５＝（Ｐｒ１×θ１＋Ｐｒ２×θ２＋Ｐｒ３×θ３）／（Ｐｒ１＋Ｐｒ２＋Ｐｒ３）
・・・式（５）
図３の説明に戻る。
【００３９】
測定対象物４０が存在しえる位置を推定した後、測定対象物位置確定処理部３７は、この推定された位置を測定対象物４０の候補位置（測定対象物候補）として測定対象物候補記録部３９に格納する。さらに、測定対象物位置確定処理部３７は、測定対象物情報分布記録部３８から次の測定対象物情報を読込み、判定ゲート６０を１サンプル走査させて、同様に処理を繰り返す。
【００４０】
予め想定される分解能以上の位置まで測定対象物情報分布配列上を走査したら、測定対象物位置確定処理部３７は、測定対象物情報分布記録部３８から測定対象物候補を呼出し、単数または複数の測定対象物４０の位置が同一の測定対象物４０であるのか否かをそれぞれの位置差を比較して、最終的な測定対象物４０の位置を確定する。
【００４１】
そして、測定対象物４０の位置が確定されたら、測定対象物４０に関するデータを出力部３５へ送り、出力部３５が測定対象物の位置の表示などを実行する。
なお、判定ゲート６０の次元は、方位方向、高低方向、距離方向があり、最低１次元以上を利用し、次元数が増えれば測定対象物情報が増えるために測定対象物位置の推定精度が上がる。また、次元数が増えると判定するデータ数が増えるため処理時間が増加するが、近年の計算機能力の向上を利用することで解決できる。
【００４２】
次に、レーダ装置３０において実行される測定対象物４０の位置を確定するための測定対象物位置確定処理の流れを説明する。
図１０は、本発明を適用したレーダ装置において実行される測定対象物位置確定処理の流れを示すフローチャートである。
【００４３】
まず、ステップＳ１００１において、受信信号（信号レベル、高低角、方位角、距離）をデータ入力し、サンプル毎に測定対象物情報分布データとして測定対象物情報分布記録部３８へ書き込む。
【００４４】
次に、ステップＳ１００２において、判定ゲート６０の大きさ以上のデータ数の測定対象物情報分布データが測定対象物情報分布記録部３８に書き込まれたか否かを判断する。
判定ゲート６０の大きさ以上の書き込みが未だされていないと判断された場合（ステップＳ１００２：Ｎｏ）は、ステップＳ１００１に戻り、他方、判定ゲート６０の大きさ以上の書き込みが実行されたと判断された場合（ステップＳ１００２：Ｙｅｓ）は、ステップＳ１００３において、測定対象物情報分布記録部３８から判定ゲート６０のデータ数の測定対象物情報分布データを読み出す。
【００４５】
次に、ステップＳ１００４において、ステップＳ１００３で読み出した判定ゲート６０のデータ数の測定対象物情報分布データのうち、中心セル６１の信号レベルが他の全てのサブセル６２の信号レベルより大きいか否かを判断する。
【００４６】
中心セル６１の信号レベルが他の全てのサブセル６２の信号レベルより大きくないと判断された場合、すなわち、中心セル６１の信号レベルが何れかのサブセル６２の信号レベルより小さい場合（ステップＳ１００４：Ｎｏ）は、ステップＳ１００５において、判定ゲート６０を１サンプリング分だけ走査してステップＳ１００１に戻る。他方、中心セル６１の信号レベルが他の全てのサブセル６２の信号レベルより大きいと判断された場合（ステップＳ１００４：Ｙｅｓ）、ステップＳ１００６において、２次関数近似計算や比例
配分計算等を用いて測定対象物４０の位置を推定する。
【００４７】
次に、ステップＳ１００７において、分解能以上の位置まで走査が完了したか否かを判断し、完了していないと判断された場合（ステップＳ１００７：Ｎｏ）は、ステップＳ１００５に進み、他方、完了したと判断された場合（ステップＳ１００７：Ｙｅｓ）は、ステップＳ１００８において、測定対象物４０の位置を確定し、ステップＳ１００９において、その確定した測定対象物４０の位置に関する情報を、出力部３５を用いて出力、例えばディスプレイ画面に表示する。
【００４８】
以上説明したように、本発明を適用したレーダ装置３０は、ビームサンプリングによる測定対象物４０の位置の曖昧さがあることによる測定対象物検出能力の劣化を改善することができ、レーダ装置３０全体としての性能向上を実現することができるようになる。
【００４９】
なお、上述の実施の形態の説明では、測定対象物４０の位置を精度よく確定することを述べたが、判定ゲート６０内に入るクラッタのような広範囲に広がる不要測定対象物パターンを予め推定しておき、実際に得られた判定ゲート６０内のパターンと推定パターンとを比較することにより、本発明はクラッタ除去機能としても作用することが可能である。従って、不要な測定対象物を除去し、真の測定対象物４０のみを検出することができる。また、逆にクラッタパターンからクラッタのみを検出して、クラッタの元となる地形パターンを検出することも可能である。
【００５０】
以上、本発明の実施の形態を、図面を参照しながら説明してきたが、本発明が適用されるレーダ装置は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００５１】
また、図１１に示したように、バス１１０８に接続されたＣＰＵ１１０１、ＲＯＭやＲＡＭのメモリ１１０２、入力装置１１０３、出力装置１１０４、外部記録装置１１０５、媒体駆動装置１１０６、可搬記録媒体１１０９、ネットワーク接続装置１１０７で構成されるシステムでも実現できる。すなわち、前述してきた実施の形態のシステムを実現するソフトェアのプログラムコードを記録したＲＯＭやＲＡＭのメモリ１１０２、外部記録装置１１０５、可搬記録媒体１１０９を、レーダ装置に供給し、そのレーダ装置のコンピュータがプログラムコードを読み出し実行することによっても、達成されることは言うまでもない。
【００５２】
この場合、可搬記録媒体１１０９等から読み出されたプログラムコード自体が本発明の新規な機能を実現することになり、そのプログラムコードを記録した可搬記録媒体１１０９等は本発明を構成することになる。
【００５３】
プログラムコードを供給するための可搬記録媒体１１０９としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置１１０７（言い換えれば、通信回線）を介して記録した種々の記録媒体などを用いることができる。
【００５４】
また、図１２に示すように、コンピュータがメモリ１１０２上に読み出したプログラムコードを実行することによって、前述した実施の形態の機能が実現される他、そのプログラムコードの指示に基づき、コンピュータ上で稼動しているＯＳなどが実際の処理の一部または全部を行ない、その処理によっても前述した実施の形態の機能が実現される。
【００５５】
さらに、可搬型記録媒体１１０９から読み出されたプログラムコードやプログラム（データ）提供者から提供されたプログラム（データ）が、コンピュータに挿入された機能拡張ボードやコンピュータに接続された機能拡張ユニットに備わるメモリ１１０２に書き込まれた後、そのプログラムコードの指示に基づき、その機能拡張ボードや機能拡張ユニットに備わるＣＰＵ１１０１などが実際の処理の一部または全部を行ない、その処理によっても前述した実施の形態の機能が実現され得る。
【００５６】
すなわち、本発明は、以上に述べた実施の形態に限定されるものではなく、本発明の要旨を逸脱しない範囲内で種々の構成または形状を取ることができる。
【図面の簡単な説明】
【００５７】
【図１】単一の目標対象物の検出パターンの例を示す図である。
【図２】互いに隣接した２つの目標対象物の検出パターンの例を示す図である。
【図３】本発明を適用したレーダ装置の構成を示す図である。
【図４】電子走査を使用した場合の反射波のビームサンプリングを示す図である。
【図５】測定対象物情報の配列の例を示す図である。
【図６】判定ゲートの例を示す図である。
【図７】測定対象物情報配列５０に対する判定ゲート６０の走査を説明するための図である。
【図８】測定対象物４０が存在しえる位置を推定する手法として２次関数近似計算を用いる例を説明するための図である。
【図９】測定対象物４０が存在しえる位置を推定する手法として比例配分計算を用いる例を説明するための図である。
【図１０】本発明を適用したレーダ装置において実行される測定対象物位置確定処理の流れを示すフローチャートである。
【図１１】本発明におけるレーダ処理装置の構成図である。
【図１２】本発明における位置特定プログラムのコンピュータへのローディングを説明するための図である。
【符号の説明】
【００５８】
１０          検出パターン
２０、２１、２２  検出パターン
３０          レーダ装置
３１          送信部
３２          空中線部
３３          受信部
３４          レーダ処理部
３５          出力部
３６          制御部
３７          測定対象物位置確定処理部
３８          測定対象物情報分布記録部
３９          測定対象物候補記録部
４０          測定対象物
５０          測定対象物情報分布配列
６０          判定ゲート
６１          中心セル
６２          サブセル
７１、７２    セル
８１、８２、８３  信号レベル
８４          ２次関数
８５          極値
８６          位置（θ４）
９６          位置（θ５）
１１０１      ＣＰＵ
１１０２      メモリ
１１０３      入力装置
１１０４      出力装置
１１０５      外部記録装置
１１０６      媒体駆動装置
１１０７      ネットワーク接続装置
１１０８      バス
１１０９      可搬記録媒体
【図１】
0005298514.tif 000002
【図２】
0005298514.tif 000003
【図３】
0005298514.tif 000004
【図４】
0005298514.tif 000005
【図５】
0005298514.tif 000006
【図６】
0005298514.tif 000007
【図７】
0005298514.tif 000008
【図８】
0005298514.tif 000009
【図９】
0005298514.tif 000010
【図１０】
0005298514.tif 000011
【図１１】
0005298514.tif 000012
【図１２】
0005298514.tif 000013